(57)【要約】【課題】携帯通信端末の機能を容易に拡張できるようにする。【解決手段】カバー１０は、携帯通信端末２０に取り付けられるカバーである。そしてカバー１０及び通信部１２０を有している。センサ１１０は、対象物Ｆに含まれている特定成分の量を測定する。対象物Ｆが野菜や果物である場合、特定成分は、例えば糖分やビタミンなどの栄養素である。対象物Ｆが人の身体の一部（例えば指）である場合、特定成分は、例えば血糖値である。通信部１２０は、センサ１１０の測定結果を、無線通信を介して携帯通信端末２０に送信する。【選択図】図２
2016076782.tif 000002
【特許請求の範囲】
【請求項１】
携帯通信端末に取り付けられるカバーであって、
対象物に含まれている特定成分の量を測定するセンサと、
前記センサの検出結果を、無線通信を介して前記携帯通信端末に送信する通信部と、
を備えるカバー。
【請求項２】
請求項１に記載のカバーにおいて、
前記携帯通信端末は、基地局と無線で通信する第１無線通信部と、近距離無線通信を行う第２無線通信部とを有し、
前記通信部は、前記センサの検出結果を、前記近距離無線通信を介して前記第２無線通信部に送信するカバー。
【請求項３】
請求項２に記載のカバーにおいて、
前記カバーを前記携帯通信端末に取り付けた場合において、前記通信部は、前記第２無線通信部に近接するカバー。
【請求項４】
請求項３に記載のカバーにおいて、
前記カバーを前記携帯通信端末に取り付けた場合において、前記通信部の少なくとも一部は、前記第２無線通信部の少なくとも一部と重なるカバー。
【請求項５】
請求項１〜４のいずれか一項に記載のカバーにおいて、
前記対象物を受け入れる凹部を備え、
前記センサは前記凹部に近接して設けられているカバー。
【請求項６】
請求項５に記載のカバーにおいて、
前記対象物は人の指であり、
前記凹部は、前記カバーのうち前記携帯通信端末の側面に対応する位置に設けられているカバー。
【請求項７】
請求項５又は６に記載のカバーにおいて、
前記凹部に前記対象物が受け入れられたことを検出する検出部を備え、
前記センサは、前記検出部が前記対象物を検出したときに、動作するカバー。
【請求項８】
請求項１〜５に記載のカバーにおいて、
前記対象物は野菜または果物であり、
前記特定成分は、栄養素であるカバー。
【請求項９】
請求項１〜８のいずれか一項に記載のカバーにおいて、
前記センサの検出結果を処理するソフトウェアを保持しているサーバの識別情報を保持しているサーバ情報保持部を備え、
前記通信部は、無線通信を介して前記サーバ情報保持部が保持している前記識別情報を前記携帯通信端末に送信するカバー。
【発明の詳細な説明】
【技術分野】
【０００１】
本発明は、携帯通信端末のカバーに関する。
【背景技術】
【０００２】
近年は携帯通信端末の高機能化が進んでいる。このため、携帯通信端末には、画像センサなどのセンサが内蔵されている場合が多い。また特許文献１には、携帯通信端末に、肌特性測定センサを搭載することが記載されている。特許文献１において、肌特性測定センサは、水分、温度、皮脂量、色、及び明るさなどを測定する、と記載されている。
【先行技術文献】
【特許文献】
【０００３】
【特許文献１】特開２０１４−１４０３５号公報
【発明の概要】
【発明が解決しようとする課題】
【０００４】
本発明者は、携帯通信端末の機能を容易に拡張できるようにする方法を検討した。本発明が解決しようとする課題としては、携帯通信端末の機能を容易に拡張できるようにすることが一例として挙げられる。
【課題を解決するための手段】
【０００５】
請求項１に記載の発明は、携帯通信端末に取り付けられるカバーであって、
対象物に含まれている特定成分の量を測定するセンサと、
前記センサの検出結果を、無線通信を介して前記携帯通信端末に送信する通信部と、
を備えるカバーである。
【図面の簡単な説明】
【０００６】
【図１】実施形態に係るカバーの構成を、携帯通信端末とともに示す図である。
【図２】図１のＡ−Ａ断面図である。
【図３】カバー及び携帯通信端末の機能ブロック図である。
【図４】センサの構成の第１例を示す図である。
【図５】センサの構成の第２例を示す図である。
【図６】センサの構成の第３例を示す図である。
【図７】実施例１に係るカバーの構成を、携帯通信端末とともに示す平面図である。
【図８】図７のＡ−Ａ断面図である。
【図９】実施例１に係るカバーの使用方法を模式的に説明する図である。
【図１０】カバー及び携帯通信端末の機能ブロック図である。
【図１１】処理制御部がディスプレイに表示させる画面の一例を示す図である。
【図１２】実施例２に係るカバーの機能構成を、携帯通信端末の機能構成とともに示す図である。
【図１３】ソフトウェアがインストールされることによって処理制御部に与えられる機能を示す図である。
【図１４】ディスプレイが表示する画面の一例を示す図である。
【発明を実施するための形態】
【０００７】
以下、本発明の実施の形態について、図面を用いて説明する。尚、すべての図面において、同様な構成要素には同様の符号を付し、適宜説明を省略する。
【０００８】
なお、以下に示す説明において、カバー１０及び携帯通信端末２０の各構成要素は、ハードウエア単位の構成ではなく、機能単位のブロックを示している。そして携帯通信端末２０の処理制御部２４０は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウェアの任意の組合せによって実現される。そして、その実現方法、装置には様々な変形例がある。
【０００９】
図１は、実施形態に係るカバー１０の構成を、携帯通信端末２０とともに示す図である。図２は、図１のＡ−Ａ断面図である。図３は、カバー１０及び携帯通信端末２０の機能ブロック図である。実施形態に係るカバー１０は、図１及び図２に示すように、携帯通信端末２０に取り付けられるカバーである。そして図３に示すように、カバー１０及び通信部１２０を有している。センサ１１０は、対象物Ｆ（図２参照）に含まれている特定成分の量を測定する。通信部１２０は、センサ１１０の測定結果を、無線通信を介して携帯通信端末２０に送信する。以下、詳細に説明する。
【００１０】
携帯通信端末２０は、例えば携帯電話やスマートフォンであり、図３に示すように、ディスプレイ２１０、第２無線通信部２２０、第１無線通信部２３０、及び処理制御部２４０を有している。処理制御部２４０は携帯通信端末２０の各部分（例えばディスプレイ２１０）を制御している。第１無線通信部２３０は、公衆通信網の基地局を介して外部と無線で通信する。第２無線通信部２２０は、近距離無線通信（例えばBluetooth（登録商標）、赤外線通信、Ｗｉ-Ｆｉなど）を行う。本実施形態において、第２無線通信部２２０は、カバー１０の通信部１２０と通信する。
【００１１】
また、携帯通信端末２０は、入力部を有している。本図に示す例において、ディスプレイ２１０はタッチパネルになっており、入力部を兼ねている。ただし携帯通信端末２０は、入力部として、押下式のキーを有していてもよい。携帯通信端末２０は、さらに音声入力部（マイク）、音声出力部（スピーカ）など、他の機能を有している。
【００１２】
カバー１０は、携帯通信端末２０のうちディスプレイ２１０及びその周囲の領域を除いて覆っている。カバー１０の本体は、例えば樹脂によって形成されている。
【００１３】
カバー１０は、上記したように、センサ１１０及び通信部１２０を有している。センサ１１０は、対象物Ｆに含まれている特定成分の量を測定する。センサ１１０は、例えば光学的手法（例えば吸光率）に基づいて、特定成分の量を測定する。対象物Ｆが野菜や果物である場合、特定成分は、例えば糖分やビタミンなどの栄養素である。対象物Ｆが人の身体の一部（例えば指）である場合、特定成分は、例えば血糖値である。
【００１４】
通信部１２０は、センサ１１０の測定値を、近距離無線通信を介して携帯通信端末２０の第２無線通信部２２０に送信する。カバー１０を携帯通信端末２０に取り付けた場合において、通信部１２０は、第２無線通信部２２０に近接する。具体的には、通信部１２０の少なくとも一部は、第２無線通信部２２０の少なくとも一部と重なる。これにより、通信部１２０は確実に第２無線通信部２２０と通信することができる。なお、第２無線通信部２２０は携帯通信端末２０の裏面の縁の配置される場合が多いため、通信部１２０も、カバー１０の縁に配置される場合が多い。
【００１５】
また、カバー１０は、凹部１０２を有している。凹部１０２は、対象物Ｆを受け入れるために設けられている。本図に示す例において、凹部１０２は、携帯通信端末２０の裏面側に設けられている。そしてカバー１０のうち凹部１０２の近くに位置する領域には、センサ１１０が設けられている。センサ１１０の測定面（例えば光射出面及び受光面）は、凹部１０２においてカバー１０の外部に露出しているのが好ましい。このようにすると、容易に対象物Ｆをセンサ１１０に対して位置合わせすることができる。
【００１６】
なお、センサ１１０及び通信部１２０の電源は、カバー１０に内蔵されていてもよいし、カバー１０の外部から供給されてもよい。
【００１７】
携帯通信端末２０は、センサ１１０の検出値を受信すると、受信した検出値を処理する。例えばセンサ１１０の検出値が対象物Ｆとしての農作物に含まれる糖度やビタミンの量を示していた場合、携帯通信端末２０の処理制御部２４０は、対象物Ｆの糖度やビタミンの量を算出してディスプレイ２１０に表示させる。
【００１８】
図４は、センサ１１０の構成の第１例を示す図である。本図に示す例において、センサ１１０は発光部１１２及び受光部１１４を有している。発光部１１２は、例えば半導体レーザなどの発光素子を有しており、対象物Ｆに含まれている成分によって吸収される波長（以下、第１波長と記載）の光を放射する。受光部１１４は、例えばフォトダイオードなどの光電変換素子を有しており、発光部１１２から放射された第１波長の光のうち、対象物Ｆによって反射された光の強度（又は対象物Ｆを透過した光の強度）を測定する。そして受光部１１４の検出値は、通信部１２０に出力される。発光部１１２と受光部１１４は、対象物Ｆを基準としたときに同じサイドに配置されていてもよいし、対象物Ｆを挟む位置に配置されていてもよい。
【００１９】
図５は、センサ１１０の構成の第２例を示す図である。本図に示すセンサ１１０は、光フィルタ１１６を備えている点を除いて、図４に示したセンサ１１０と同様の構成である。光フィルタ１１６は、第１波長以外の光を遮断する。光フィルタ１１６は、発光部１１２の前のみに設けられてもよいし、受光部１１４の前のみに設けられてもよいし、発光部１１２及び受光部１１４の双方の前に設けられてもよい。光フィルタ１１６を設けることにより、受光部１１４の出力の精度は高くなる。
【００２０】
図６は、センサ１１０の構成の第３例を示す図である。本図に示すセンサ１１０は、発光部１１２、受光部１１４、及び光フィルタ１１６を複数組有している点を除いて、図５に示したセンサ１１０の構成と同様である。各組は、互いに異なる波長の光を測定するようになっている。言い換えると、各組は、互いに異なる成分（例えば糖分とビタミン）を検出するようになっている。例えば、発光部１１２ａは、糖分に吸収されるスペクトルを持つ近赤外光を発光し、光フィルタ１１６ａは、発光部１１２ａと同じ近赤外域周辺の波長だけを通過させる。一方、発光部１１２ｂはビタミン等の栄養成分に吸収スペクトルを持つ紫外域の光を発光し、光フィルタ１１６ｂは、発光部１１２ｂと同じ紫外域周辺の波長だけを通過させる。
【００２１】
本実施形態によれば、カバー１０を携帯通信端末２０に取り付けることにより、携帯通信端末２０に、センサ１１０による測定機能を付加することができる。従って、容易に携帯通信端末２０の機能を拡張することができる。また、異なるセンサ１１０を内蔵した複数のカバー１０を準備しておき、カバー１０を取り換えることにより、携帯通信端末２０に付加した機能を容易に取り換えることができる。なお、光フィルタ１１６の透過波長は上記記載の固定タイプでも良いが、チューナブル光フィルタ（自由に透過波長を変化できる光フィルタ）を用いることも可能である。この場合は一つのチューナブル光フィルタで図６に示した例と同じ効果を奏することができる。さらに発光部１１２を広帯域波長の光源にすれば、図５に示した構成で、複数の成分（例えば糖分とビタミン）を検出できるようにすることも可能である。
【実施例】
【００２２】
（実施例１）
図７は、実施例１に係るカバー１０の構成を、携帯通信端末２０とともに示す平面図である。図８は、図７のＡ−Ａ断面図である。図９は、本実施例に係るカバー１０の使用方法を模式的に説明する図である。図１０はカバー１０及び携帯通信端末２０の機能ブロック図である。本実施例に係るカバー１０は、以下の点を除いて実施形態に係るカバー１０と同様の構成である。
【００２３】
まず、図８に示すように、対象物Ｆは人の指である。そして、凹部１０２及びセンサ１１０は、カバー１０のうち携帯通信端末２０の側面に対応する部分に設けられている。詳細には、カバー１０を有する携帯通信端末２０をユーザが持った時に、ユーザの指が凹部１０２に嵌るようになっている。
【００２４】
例えば図９に示すように、例えばカバー１０付の携帯通信端末２０を手で持った場合、対象物Ｆである指（例えば人差し指）は、図８及び図９に示すように、凹部１０２に嵌る。この状態において、対象物Ｆ（指）は、センサ１１０によって測定可能な場所に位置する。例えばセンサ１１０が光学式のセンサである場合、対象物Ｆ（指）は、発光部１１２と受光部１１４の間に位置する。
【００２５】
なおこの場合、凹部１０２は、発光部１１２を設けることにより形成された凸部、及び受光部１１４を設けることにより形成された凸部の間に位置していてもよい。また発光部１１２が有機ＥＬ素子であり、かつ可撓性を有している場合、対象物Ｆ（指）を差し込む際に発光部１１２が弾性変形するため、対象物Ｆ（指）を凹部１０２に嵌めやすくなる。
【００２６】
そして、センサ１１０は、人の血糖値やバイタル（心拍数や血圧など）など、ユーザの健康に関する指標を測定する。血糖値を測定する場合、センサ１１０は例えば光学式のセンサである。一方、バイタルを測定する場合、センサ１１０は、例えば圧力センサを有している。
【００２７】
さらに、図１０に示すように、カバー１０は検出部１３０を有している。検出部１３０は、凹部１０２に指が嵌ったことを検出する。そしてセンサ１１０は、検出部１３０が指を検出すると、動作を開始する。
【００２８】
図１１は、処理制御部２４０がディスプレイ２１０に表示させる画面の一例を示している。処理制御部２４０は、センサ１１０の測定値に従って、ユーザの健康状態を判断する。そしてその判断結果に基づいて、表示させる画面を変える。例えば血糖値が高い場合（図１１（ａ））や血糖値が低い場合（図１１（ｃ））、処理制御部２４０は、ディスプレイ２１０にその旨を伝える情報とともに、対処方法を示す情報も表示する。また血糖値が正常な場合、処理制御部２４０は、その旨を示す画面（図１１（ｂ））を表示する。
【００２９】
本実施例によれば、携帯通信端末２０のユーザが携帯通信端末２０を持つ際、ユーザが意識しなくても、指が凹部１０２に嵌まる。従って、ユーザの健康に関する指標を容易に測定することができる。特にカバー１０が検出部１３０を有している場合、携帯通信端末２０のユーザが携帯通信端末２０を持つことにより、カバー１０は自動でユーザの健康に関する指標を測定することができる。また、指が凹部１０２に嵌まることにより、携帯通信端末２０が落下することも抑制できる。
【００３０】
なお、実施形態に係るカバー１０が検出部１３０を有していてもよい。この場合、検出部１３０は、凹部１０２に対象物が配置されたことを検出する。そしてセンサ１１０は、検出部１３０の検出値に基づいて動作を開始する。
【００３１】
（実施例２）
図１２は、実施例２に係るカバー１０の機能構成を、携帯通信端末２０の機能構成とともに示す図である。本実施形態に係るカバー１０は、サーバ情報保持部１４０を備えている点を除いて、実施形態又は実施例１に係るカバー１０と同様の構成である。本図は、実施例１と同様の場合を示している。
【００３２】
サーバ情報保持部１４０は、センサ１１０の検出結果を処理するソフトウェアを保持しているサーバの識別情報（例えばＵＲＬ）を保持している。そしてカバー１０が携帯通信端末２０に取り付けられたときに、サーバ情報保持部１４０は、通信部１２０及び携帯通信端末２０の第２無線通信部２２０を介して、処理制御部２４０に、サーバの識別情報を、そのサーバにアクセスすることを指示する情報（以下、アクセス指示情報と記載）とともに送信する。処理制御部２４０は、サーバ情報保持部１４０からサーバの識別情報及びアクセス指示情報を受信すると、ディスプレイ２１０に、サーバからソフトウェアをダウンロードしてよいか、ユーザに確認する表示を行う。そして、ダウンロードしてよい旨の入力が行われると、サーバにアクセスしてソフトウェアをダウンロードする。そしてこのソフトウェアは、処理制御部２４０にインストールされる。なお、ユーザへの確認は省略されてもよい。
【００３３】
図１３は、上記したソフトウェアがインストールされることによって処理制御部２４０に与えられる機能を示す図である。本図に示す例において、処理制御部２４０は、測定データ取得部３１０、履歴取得部３２０、及び判断部３３０を備えている。
【００３４】
測定データ取得部３１０は、第２無線通信部２２０及び通信部１２０を介してセンサ１１０の測定値を受信する。履歴取得部３２０は、センサ１１０の測定値の履歴を取得する。この履歴は、携帯通信端末２０内に記憶されていてもよいし、携帯通信端末２０の外部の装置に記憶されていてもよい。いずれの場合においても、測定データ取得部３１０は、新たに受信した測定データを、測定タイミングとともに、センサ１１０の履歴を記憶する記憶部に追加する。
【００３５】
判断部３３０は、履歴取得部３２０が取得したセンサ１１０の測定値の履歴、及び測定データ取得部３１０が新たに取得したセンサ１１０の測定値を用いて、ディスプレイ２１０に表示させるべき画面のデータを生成する。そして判断部３３０は、生成した画面のデータをディスプレイ２１０に出力して、ディスプレイ２１０に表示させる。また判断部３３０は、新たに取得したセンサ１１０の測定値を、センサ１１０の測定値の履歴に対比し、対比した結果が基準を満たす時に、通知処理を行う。具体的には、対比した結果に基づいて、ユーザの健康が損なわれている可能性が高いと判断される場合、判断部３３０は、予め登録されている通知先（例えば親族や病院など）に、その旨を、電子メール等を用いて通知する。
【００３６】
図１４は、ディスプレイ２１０が表示する画面の一例を示す図である。本図に示す例において、判断部３３０は、ディスプレイ２１０に、１日の血糖値の履歴を表示させる。判断部３３０は、この履歴とともに、病気（例えば糖尿病）の場合における血糖値の基準値を表示させてもよい。
【００３７】
本実施例によっても、実施形態や実施例と同様に、携帯通信端末２０に新たな機能を容易に付加することができる。また、カバー１０はサーバ情報保持部１４０を有しているため、ユーザが携帯通信端末２０を操作しなくても、必要なソフトウェアを携帯通信端末２０にインストールすることができる。
【００３８】
また、処理制御部２４０にソフトウェアがインストールされた場合、処理制御部２４０の判断部３３０は、ユーザの健康が損なわれている可能性が高いと判断される場合、予め登録されている通知先（例えば親族や病院など）に、その旨を、電子メール等を用いて通知する。従って、ユーザの身体に問題が生じ始めたときに、早急に対応をとることができる。
【００３９】
以上、図面を参照して実施形態及び実施例について述べたが、これらは本発明の例示であり、上記以外の様々な構成を採用することもできる。
【符号の説明】
【００４０】
１０ カバー
１０２ 凹部
１１０ センサ
１２０ 通信部
１３０ 検出部
１４０ サーバ情報保持部
２０ 携帯通信端末
２２０ 第２無線通信部
２３０ 第１無線通信部
２４０ 処理制御部
３１０ 測定データ取得部
３２０ 履歴取得部
３３０ 判断部
【図１】
2016076782.tif 000003
【図２】
2016076782.tif 000004
【図３】
2016076782.tif 000005
【図４】
2016076782.tif 000006
【図５】
2016076782.tif 000007
【図６】
2016076782.tif 000008
【図７】
2016076782.tif 000009
【図８】
2016076782.tif 000010
【図９】
2016076782.tif 000011
【図１０】
2016076782.tif 000012
【図１１】
2016076782.tif 000013
【図１２】
2016076782.tif 000014
【図１３】
2016076782.tif 000015
【図１４】
2016076782.tif 000016